(57)【特許請求の範囲】
【請求項１】
アーム部と該アーム部にほぼ平行に延出する筒型部を有するベッド部とからなるミシンフレームと、
該ミシンフレームを上面に載置してテーブル上面に固定されたベッド受け台と、を備える筒型ミシンにおいて、
前記筒型部の底面に設けられた開口部を塞ぐカバーの一端部が前記ベッド受け台の油溜部の内側の上方に延出していることを特徴とする筒型ミシン。
【発明の詳細な説明】
【０００１】
【発明の属する技術分野】
本発明は筒型ミシンに関する。
【０００２】
【従来の技術】
図５に基づいて従来例による筒型ミシンを説明すると、この筒型ミシンは、ミシンフレーム１０と、該ミシンフレーム１０を上面に載置するベッド受け台１２０とを備える。ミシンフレーム１０は、アーム部１１とベッド部１２から成り、ベッド部１２はアーム部１１にほぼ平行に延出する筒型部１２ａを有する。ミシンフレーム１０はベッド受け台１２０へ蝶番４０により起き倒し可能に取り付けられている。ベッド受け台１２０は図示しないテーブルの上面に固定される。
【０００３】
ミシンフレーム１０の筒型部１２ａの底面には開口部１２ｂが形成されており、その開口部１２ｂを塞ぐシリンダカバー１４２が取り付けられている。
この筒型ミシンは、ミシンフレーム１０内の各部分の潤滑をオイルで行っている。また、ベッド受け台１２０は、ミシンフレーム１０をテーブル上に固定するためのものであるが、給油用のオイルタンクとしても用いられている。
【０００４】
【発明が解決しようとする課題】
上記従来例による筒型ミシンにおいては、ミシンフレーム１０のアーム部１１内の各部分から下方へ移動してきたオイル５０がベッド部１２とベッド受け台１２０の合わせ面（ベッド部１２の下面とベッド受け台１２０の上面１２２）より外部へ洩れてテーブルを汚すことがあった。
【０００５】
また、ミシンフレーム１０内部の駆動部から飛散したオイル５０が筒型部１２ａの下部のシリンダカバー１４２から外部に洩れ、ミシンフレーム１０の外壁を伝って図示しないテーブル上に落下して汚すことがあった。
【０００６】
このようにしてテーブル上に洩れたオイル５０は、縫製物に付着して汚して縫製品質を劣化させる。
従って本発明の目的は、アーム部１１からのオイル５０がベッド受け台１２０の上面１２２より外部へ洩れるのを防止することができる筒型ミシンを提供することにある。
【０００７】
本発明の他の目的は、筒型部１２ａの下部のシリンダカバー１４２からのオイル５０が外部に洩れるのを防止することができる筒型ミシンを提供することにある。
【０００９】
【課題を解決するための手段】
上記課題を解決するために、請求項１記載の発明は、
アーム部と該アーム部にほぼ平行に延出する筒型部を有するベッド部とからなるミシンフレームと、
該ミシンフレームを上面に載置してテーブル上面に固定されたベッド受け台と、を備える筒型ミシンにおいて、
前記筒型部の底面に設けられた開口部を塞ぐカバーの一端部が前記ベッド受け台の油溜部の内側の上方に延出していることを特徴とする筒型ミシンが提供される。
【００１０】
【発明の実施の形態】
以下、図１〜４に基づいて本発明の実施の形態を説明する。
本実施の形態による筒型ミシンは、ミシンフレーム１０と、該ミシンフレーム１０を上面に載置するベッド受け台２０とを備える。ミシンフレーム１０は、アーム部１１とベッド部１２から成り、ベッド部１２はアーム部１１にほぼ平行に延出する筒型部１２ａを有する。このミシンフレーム１０は、ベッド受け台２０へ蝶番４０により起き倒し可能に取り付けられている。ミシンフレーム１０とベッド受け台２０の間にはパッキン４１を介在している。ベッド受け台２０はテーブル３０の上面に固定される。
【００１１】
ベッド受け台２０は、上方が開口した箱型の油溜部２１を有し、この油溜部２１のほぼ矩形状の上面２２には、該上面２２を周回する還流溝２２ａと、この還流溝２２ａと油溜部２１とを結ぶ複数の溝２２ｂが設けられている。図３（Ａ）に模式的に示したように、還流溝２２ａには勾配が形成され、最も深い位置に溝２２ｂが形成される。また、図３（Ｂ）に示すように溝２２ｂは、油溜部２１の方向に向って深くなるような勾配が形成されている。そしてベッド部１２の底面１２ｃとベッド受け台２０の上面２２の間に配置されるパッキン４１は還流溝２２ａの内側に取り付けられ、オイルを還流溝２２ａへ導入しやすくしている。
【００１２】
ベッド受け台２０の上面２２でのこのような構成により、還流溝２２ａに溜ったオイルをベッド受け台２０の油溜部２１の中へ還流することができる。ベッド受け台２０の上面２２に設けた還流溝２２ａ、溝２２ｂはミシンの外形輪郭から突出する構造ではなく、外部からは完全に隠れる構造であるので、外観形状を損なうことなくオイルの還流機能を得ることができる。
【００１３】
ミシンフレーム１０の筒型部１２ａの底面には開口部１２ｂが形成されており、その開口部１２ｂを塞ぐシリンダカバー４２が取り付けられている。このシリンダカバー４２の一端部４２ａは、図４に示すようにベッド受け台２０の油溜部２１の内側の上方に延出している。シリンダカバー４２には、フェルト支え４３によりフェルト４４が取り付けられている。フェルト４４の先端には油心４５が取り付けられ、この油心４５の先端はシリンダカバー４２の一端部４２ａから更に外部へ延出している。シリンダカバー４２とベッド受け台２０の間には上下方向に隙間を設け、ベッド受け台２０の外にオイルが伝わらないようにしている。
【００１４】
シリンダカバー４２でのこのような構成により、シリンダカバー４２に付着したオイルは、フェルト４４及び油心４５を伝ってベッド受け台２０の油溜部２１の中へ還流することができる。シリンダカバー４２の一端部４２ａ、フェルト支え４３、フェルト４４及び油心４５はいずれもミシンの外形輪郭から突出する構造ではなく、外部からは完全に隠れる構造であるので、外観形状を損なうことなくオイルの還流機能を得ることができる。
【００１６】
【発明の効果】
本発明によれば、アーム部と該アーム部にほぼ平行に延出する筒型部を有するベッド部とからなるミシンフレームと、該ミシンフレームを上面に載置してテーブル上面に固定されたベッド受け台と、を備える筒型ミシンにおいて、前記筒型部の底面に設けられた開口部を塞ぐカバーの一端部が前記ベッド受け台の油溜部の内側の上方に延出しているので、筒型部の下部のカバーからのオイルが外部に洩れるのを防止することができる。
【図面の簡単な説明】
【図１】  本発明の筒型ミシンの実施の形態の分解斜視図である。
【図２】  図１のベッド受け台を示す平面図である。
【図３】  図１のベッド受け台の還流溝及び溝を模式的に示す図で、（Ａ）は図２のＡ−Ａ断面図、（Ｂ）は図２のＢ−Ｂ断面図でありベッド受け台の他にパッキンも示している。
【図４】  図１の筒型ミシンの正面図である。
【図５】  従来例による筒型ミシンの分解斜視図である。
【符号の説明】
１０  ミシンフレーム
１１  アーム部
１２  ベッド部
１２ａ  筒型部
１２ｂ  開口部
２０  ベッド受け台
２１  油溜部
２２  上面
２２ａ  還流溝
２２ｂ  溝
３０  テーブル
４２  シリンダカバー
４２ａ  一端部
【図１】
0004799779.tif 000002
【図２】
0004799779.tif 000003
【図３】
0004799779.tif 000004
【図４】
0004799779.tif 000005
【図５】
0004799779.tif 000006